(57)【要約】  無線ラジオ放送信号は、一般的に、様々なプログラムコンテンツ（例えば、音声など）をラジオ受信機システムに配信するのに使用される。補足データ（例えば、メタデータ）は、ラジオ放送受信機システムに提供することができ、ここでこのような補足データは、は無線ラジオ放送信号を介して配信されるプログラムコンテンツと関連付けられる。本明細書で記載される例示的な実施形態では、ラジオ受信機システムは、（ｉ）無線ラジオ放送送信を介した一次プログラムコンテンツ、（ｉｉ）ワイヤレスインターネットを介したプログラムコンテンツに関連するメタデータの両方を受信する。このメタデータ使用法は、ユーザのラジオ受信機システムで受信される地上波放送信号のタイプに関係なく、改良された体験をユーザに提供する。受信機システムでラジオ放送信号を受信するユーザは、無線ラジオ放送信号を介して受信したプログラムコンテンツに関連する画像、ビデオ、マルチメディア表示、テキストなどを閲覧することができる。【選択図】図１
2019516315.tif 000002
【特許請求の範囲】
【請求項１】
一次音声プログラムコンテンツを含む無線ラジオ放送信号を受信するための無線ラジオ放送ハードウェア通信モジュールと、
前記無線ラジオ放送信号に関連するメタデータを含むワイヤレスインターネットプロトコル信号を受信するためのワイヤレスインターネットプロトコルハードウェア通信モジュールと、
ラジオ放送受信機ディスプレイと、
前記ラジオ放送受信機ディスプレイに前記メタデータの少なくとも一部分を表示させるようにするプロセッサと、
を備える、ラジオ放送受信機システム。
【請求項２】
前記プロセッサは更に、前記一次音声プログラムコンテンツに関連する前記メタデータの一部分を選択し、前記メタデータの一部分を表示させることは、前記メタデータの前記選択された部分を前記ラジオ放送受信機ディスプレイに表示させることを含む、請求項１に記載のラジオ放送受信機システム。
【請求項３】
音声システムを更に含み、前記プロセッサは更に、前記一次音声プログラムコンテンツを、前記音声システムを介して再生させ、前記無線ラジオ放送信号は、前記一次音声プログラムコンテンツを含む、請求項１に記載のラジオ放送受信機システム。
【請求項４】
前記プロセッサは更に、
前記無線ラジオ放送信号の中断を検出し、
前記中断を検出することに応答して、前記一次音声プログラムコンテンツのコピーを前記音声システムを介して再生させ、
前記ワイヤレスインターネットプロトコル信号は、前記一次音声プログラムコンテンツのコピーを含む、請求項３に記載のラジオ放送受信機システム。
【請求項５】
前記プロセッサは更に、前記ワイヤレスインターネットプロトコルハードウェア通信モジュールに、メタデータ要求を放送局データサービスに対して送信させるようにし、前記ワイヤレスインターネットプロトコル信号を受信することは、前記メタデータ要求を送信することに応答したものである、請求項１に記載のラジオ放送受信機システム。
【請求項６】
前記メタデータは、静的メタデータのセットを含む、請求項１に記載のラジオ放送受信機システム。
【請求項７】
前記静的メタデータのセットは、ラジオ放送局コールサイン、ラジオ放送局名、及びラジオ放送局ロゴのうちの少なくとも１つを含む、請求項６に記載のラジオ放送受信機システム。
【請求項８】
前記メタデータは、動的メタデータのセットを含む、請求項１に記載のラジオ放送受信機システム。
【請求項９】
前記動的メタデータのセットは、曲名、アーティスト名、及びアルバム名のうちの少なくとも１つを含む、請求項８に記載のラジオ放送受信機システム。
【請求項１０】
無線ラジオ放送信号に関連するメタデータをラジオ放送受信機システムに提供するための方法であって、本方法は、
ラジオ放送受信機において、一次音声プログラムコンテンツを含む無線ラジオ放送信号を受信する段階と、
前記ラジオ放送受信機において、前記無線ラジオ放送信号に関連するメタデータを含むワイヤレスインターネットプロトコル信号を受信する段階と、
前記メタデータの少なくとも一部分を表示する段階と、
を含む、方法。
【請求項１１】
前記ラジオ放送受信機は、ラジオディスプレイを含み、
前記メタデータの一部分を表示する段階は、前記メタデータの一部分を前記ラジオディスプレイに表示する段階を含む、請求項１０に記載の方法。
【請求項１２】
前記一次音声プログラムコンテンツに関連する前記メタデータの一部分を選択する段階を更に含み、前記メタデータの一部分を表示する段階は、前記メタデータの前記選択された部分を前記ラジオディスプレイに表示する段階を含む、請求項１１に記載の方法。
【請求項１３】
前記ラジオ放送受信機を介して前記一次音声プログラムコンテンツを再生する段階を更に含み、前記無線ラジオ放送信号は、前記一次音声プログラムコンテンツを含む、請求項１０に記載の方法。
【請求項１４】
前記無線ラジオ放送信号の中断を検出する段階と、
前記中断を検出することに応答して、前記ラジオ放送受信機を介して、前記一次音声プログラムコンテンツのコピーを再生する段階と、
を更に含み、
前記ワイヤレスインターネットプロトコル信号は、前記一次音声プログラムコンテンツのコピーを含む、請求項１０に記載の方法。
【請求項１５】
前記ラジオ放送受信機からのメタデータ要求を放送局データサービスに送信する段階を更に含み、前記ワイヤレスインターネットプロトコル信号を受信する段階は、前記メタデータ要求を送信する段階に応答したものである、請求項１０に記載の方法。
【請求項１６】
前記放送局データサービスは、放送局データＡＰＩサービス及び放送局データメッセージングサービスのうちの少なくとも１つを含む、請求項１５に記載の方法。
【請求項１７】
前記メタデータは、静的メタデータのセットを含む、請求項１０に記載の方法。
【請求項１８】
前記静的メタデータのセットは、ラジオ放送局コールサイン、ラジオ放送局名、及びラジオ放送局ロゴのうちの少なくとも１つを含む、請求項１７に記載の方法。
【請求項１９】
前記メタデータは、動的メタデータのセットを含む、請求項１０に記載の方法。
【請求項２０】
前記動的メタデータのセットは、曲名、アーティスト名、及びアルバム名のうちの少なくとも１つを含む、請求項１９に記載の方法。
【発明の詳細な説明】
【技術分野】
【０００１】
関連出願及び優先権の主張
本出願は、名称「ＳＹＳＴＥＭＳ  ＡＮＤ  ＭＥＴＨＯＤＳ  ＦＯＲ  ＰＲＯＶＩＤＩＮＧ  ＭＥＴＡ  ＤＡＴＡ  ＡＳＳＯＣＩＡＴＥＤ  ＷＩＴＨ  ＯＶＥＲ−ＴＨＥ−ＡＩＲ  ＲＡＤＩＯ  ＢＲＯＡＤＣＡＳＴ  ＳＩＧＮＡＬＳ（無線ラジオ放送信号に関連するメタデータを提供するためのシステム及び方法）」で２０１６年４月２２日に出願された米国仮特許出願第６２／３２６，４３２号の関連出願であり、その優先権を主張するものであり、その内容全体が引用により本明細書に組み込まれる。
【０００２】
本特許文献で記載される技術は、無線ラジオ放送信号（over-the-air radio broadcast signals）に関連する補足データ（例えば、メタデータ）を提供するためのシステム及び方法に関する。
【背景技術】
【０００３】
無線ラジオ放送信号は、一般的に、様々なプログラムコンテンツ（例えば、音声など）をラジオ受信機システムに配信するのに使用される。このような無線ラジオ放送信号には、従来型ＡＭ及びＦＭアナログ放送信号、デジタルラジオ放送信号、又は他の放送信号が挙げられる。デジタルラジオ放送技術は、移動受信機、携帯受信機、及び固定受信機にデジタル音声及びデータサービスを提供する。インバンドオンチャネル（ＩＢＯＣ）デジタル音声放送（ＤＡＢ）と呼ばれる１つのタイプのデジタルラジオ放送は、既存の中波（ＭＦ）及び超短波（ＶＨＦ）ラジオ帯域での地上波送信機を使用する。ｉＢｉｑｕｉｔｙ  Ｄｉｇｉｔａｌ  Ｃｏｒｐｏｒａｔｉｏｎによって開発されたＨＤ  Ｒａｄｉｏ（商標）技術は、デジタルラジオ放送及び受信のためのＩＢＯ実施構成の一例である。デジタルラジオ放送及び受信のＩＢＯ実施構成は、米国特許出願第８，６７６，１１４号に記載されており、その開示内容全体は、引用により本明細書に組み込まれる。
【先行技術文献】
【特許文献】
【０００４】
【特許文献１】米国特許出願第８，６７６，１１４号明細書
【特許文献２】米国特許出願第１４／５８０，９２０号明細書
【図面の簡単な説明】
【０００５】
【図１】無線ラジオ放送信号に関連するメタデータを提供するための例示的なシステムを示すブロック図である。
【図２】例示的なラジオ放送受信機の関連構成要素の簡略的な機能ブロック図である。
【図３】本開示の手法の追加の詳細を示す図である。
【図４】コアハイブリッドラジオシステムの例示的な構成要素を示す概略図である。
【図５】クライアントアプリケーションとＡＰＩとメッセージングサービスとの間の例示的な相互作用を示す概略図である。
【図６】プロキシＡＰＩの動作例を示す概略図である。
【図７】プロキシＡＰＩの動作例を示す概略図である。
【発明を実施するための形態】
【０００６】
無線ラジオ放送信号は、一般的に、様々なプログラムコンテンツ（例えば、音声など）をラジオ受信機システムに配信するのに使用される。補足データ（例えば、メタデータ）は、ラジオ放送受信機システムに提供することができ、ここでこのような補足データは、は無線ラジオ放送信号を介して配信されるプログラムコンテンツと関連付けられる。本明細書で記載される例示的な実施形態では、ラジオ受信機システムは、（ｉ）無線ラジオ放送送信を介した一次プログラムコンテンツ（例えば、音声など）と、（ｉｉ）ワイヤレスインターネットを介したプログラムコンテンツに関連するメタデータの両方を受信する。従って、このような実施形態は、２つの異なる通信プラットフォームを利用することができ、異なる通信プラットフォームにより、ラジオ受信機システムは、地上波ラジオ放送信号と合わせて関連メタデータを受信することができる。このようなシステムは、「ハイブリッドラジオ」システムとして説明することができる。
【０００７】
プログラムコンテンツに関連するメタデータは、「静的」メタデータ及び「動的」メタデータの両方を含むことができる。例えば、ラジオ受信機システムが、特定のラジオ放送局から無線ラジオ放送信号を受信しているときには、受信機システムは、ワイヤレスＩＰを介して静的メタデータを受信することができ、ここで、静的メタデータは、まれに変化するか、又は変化しない。静的メタデータは、ラジオ放送局のコールサイン、名称、ロゴ（例えば、より高ロゴ解像度又は低ロゴ解像度）、スローガン、放送局形式、放送局ジャンル、言語、ウェブページのＵＲＬ、ソーシャルメディア（例えば、Ｆａｃｅｂｏｏｋ、Ｔｗｉｔｔｅｒ）に関するＵＲＬ、電話番号、ＳＭＳ番号、ＳＭＳショートコード、ＰＩコード、国、又は他の情報を含むことができる。別の実施例として、ラジオ受信機システムが、音声を含む無線放送信号を受信しているときには、受信機システムは、ワイヤレスＩＰを介して動的メタデータを受信することができ、ここで、動的メタデータは、比較的頻繁に変化する。動的メタデータは、曲名、アーティスト名、アルバム名、アーティスト画像（例えば、より高い又はより低い解像度）、高められた広告（例えば、タイトル、タグライン、画像、電話番号、ＳＭＳ番号、ＵＲＬ、検索用語など）、番組スケジュール（画像、時間枠、タイトル、アーティスト名、ＤＪ名、電話番号、ＵＲＬ）、データに従うサービス、又は音声に関連する他の情報を含むことができる。
【０００８】
様々な実施形態では、本明細書で記載されるシステム及び方法は、ユーザのラジオ受信機システムで受信される地上波放送信号のタイプに関係なく、改良された体験（例えば、改良された聴取体験）をユーザに提供する。例えば、従来では、従来型アナログＡＭ又はＦＭラジオ放送信号を受信するユーザには、受信した音声に加えて、存在する場合には僅かなメタデータが提供される（例えば、ユーザの自動車用受信機は、曲タイトル及びアーティスト名のみを表示することができる）。対照的に、本明細書で記載されるシステム及び方法の実施形態は、一次プログラムコンテンツと組み合わせて様々な異なるメタデータを提供することによって、改良されたユーザ体験を可能にする。従って、例えば、受信機システムでラジオ放送信号を受信するユーザは、無線ラジオ放送信号を介して受信したプログラムコンテンツに関連する、画像、ビデオ、マルチメディア表示、テキスト、その他などを閲覧することができる。本明細書で記載されるように、実施形態では、このようなメタデータは、ラジオ放送送信を介するのではなく、ワイヤレスＩＰを介して提供される。
【０００９】
以下の詳細な説明及び図面は、当業者が特定の実施形態を理解することを可能にする程度に十分に特定の実施形態を例示している。他の実施形態は、構造的変更、論理的変更、電気的変更、プロセス変更、及び他の変更を組み込むことができる。様々な実施形態の一部分及び特徴は、他の実施形態に含めること、又は他の実施形態のものと置き換えることができる。特許請求の範囲において示された実施形態は、それら特許請求の範囲の利用可能な全ての均等物を包含する。
【００１０】
図１は、無線ラジオ放送信号に関連するメタデータを提供するための例示的なシステム１００を示すブロック図である。この図において、ラジオ放送受信機システム１２０は、複数の（例えば、２つの）異なる通信プラットフォームを介して信号及び／又はデータを受信する。第１の通信プラットフォームは、無線ラジオ放送送信（例えば、アナログラジオ放送送信及び／又はデジタルラジオ放送送信）とすることができ、第２の通信媒体は、ワイヤレスインターネット（本明細書では「ワイヤレスＩＰ」とも呼ばれる）とすることができる。実施形態では、一次プログラムコンテンツ（例えば、ユーザのラジオ受信機システムでレンダリングされる音声）は、無線ラジオ放送送信を介して受信機システム１２０に配信され、プログラムコンテンツに関連するメタデータは、ワイヤレスＩＰを介して受信機システム１２０に配信される。
【００１１】
図１では、ラジオ放送送信機システム１２５は、第１の通信プラットフォームを介したプログラムコンテンツの提供を助長するために、ラジオ放送受信機システム１２０に無線ラジオ放送信号１３０を放送するのに使用できる構成要素を含む。送信機システム１２５は、従来型ＡＭ及びＦＭアナログ放送信号及び／又はデジタルラジオ放送信号を放送することができる。音声及び／又はデータを含む無線ラジオ放送信号１３０は、図示のように、送信機システム１２５のアンテナから放送されて、ラジオ放送受信機システム１２０により受信することができる。
【００１２】
上記で説明したように、メタデータを受信機システム１２０に配信するのに使用される第２の通信プラットフォームは、ワイヤレスインターネット（例えば、Ｗｉ−Ｆｉ、３Ｇ、４Ｇ、その他のような移動体通信技術）とすることができる。図１では、ラジオ受信機システム１２０は、放送局データＡＰＩサービス１１０及び放送局データメッセージングサービス１１５を含むことができる動的及び静的情報配信サービス１０５から、メタデータを受信する。これらのサービスについては、図４から７を参照して以下でより詳細に説明する。実施例では、受信機システム１２０は、これらのサービスの一方又は両方に対する要求（例えば、メタデータ要求）を送信する。これらの要求に応答して、受信機システム１２０は、ワイヤレスインターネットを介して要求されたデータを受信する。実施形態では、ワイヤレスインターネットを介して受信機システム１２０により受信されたメタデータは、地上波放送信号１３０を介して受信されたプログラムコンテンツに関連する。メタデータは、「静的」メタデータ及び「動的」メタデータの両方を含むことができる。例えば、ラジオ受信機システム１２０が、特定のラジオ放送局から無線ラジオ放送信号１３０を受信しているときには、受信機システム１２０は、ラジオ放送局のコールサイン、名称、ロゴ、及び／又は他の情報を示す静的メタデータをワイヤレスＩＰ経由で受信することができる。別の実施例として、ラジオ受信機システム１２０が、音声を含む無線放送信号１３０を受信しているときには、受信機システム１２０は、曲名、アーティスト名、アルバム名、及び／又は音声に関連する他の情報を示す動的メタデータをワイヤレスＩＰ経由で受信することができる。アーティスト画像、アルバムカバー画像、曲タイトル、その他など、このようなメタデータに関連するコンテンツは、車両内のような情報／エンターテイメントシステムなどの受信機システム１２０のディスプレイ上に表示することができる。
【００１３】
ラジオ放送信号１３０は、受信機システム１２０にて受信した信号に関する信号品質に伴う問題を引き起こす可能性がある間欠的な減衰又は妨害を受ける可能性がある。更に、このような何らかの妨害は、受信機システム１２０からの放送信号１３０をある時間期間にわたって十分に不明瞭にして、該妨害が、放送信号１３０の受信におけるギャップ、すなわち、ユーザ／消費者が視聴することを望む、例えば、曲、交通レポート、天気レポートなどのプログラムコンテンツにおけるギャップをもたらすようになる可能性がある。実施形態では、このような信号中断及び／又はギャップの影響を軽減するために、受信機システム１２０は、その開示内容全体が引用により本明細書に組み込まれている米国特許出願第１４／５８０，９２０号に記載されているように、ワイヤレスインターネットを介して「ギャップ充填」データを受信して、その結果、他の場合には地上波放送にて不明瞭又は妨害されるはずのプログラムコンテンツ（例えば曲、交通、天気コンテンツ）が、それでも尚、ワイヤレスインターネットを介して受信機システム１２０にて受信されて、ユーザ／消費者による使用のためにレンダリングできるようにすることができる。本明細書で記載されるメタデータは、プログラムコンテンツを搬送するこのような何らかのギャップ充填データに加えて提供されるデータである。
【００１４】
具体的には、ギャップ充填データは、一次プログラミングコンテンツ（例えば、地上波信号１３０を介して受信されるプログラムコンテンツの一部分）を含み、本明細書で記載されるメタデータは、一次プログラミングコンテンツに関連するがそれとは異なる補足データである。
【００１５】
ギャップ充填データとは異なり、本明細書で記載されるようなメタデータは、無線ラジオ放送信号を介して送信されるデータの複製データではない。
【００１６】
ワイヤレスＩＰを介して無線ラジオ放送信号及びメタデータを受信するのに使用されるラジオ受信機システム１２０は、例えば、ワイヤレスＩＰを介してメタデータを受信するためのインターネット受信機及びラジオ受信機の両方を実装するためのハードウェア及び／又はソフトウェア（例えば、ワイヤレス３Ｇ又は４Ｇチップセット、ＨＤラジオチップセット、及び関連のアンテナシステム）を含むハンドヘルドデバイス（例えば、タブレット、携帯電話機、その他）とすることができる。別の実施例では、受信機システムは、（ｉ）ラジオ受信機を含む自動車用受信機（例えば、自動車に含められる受信機）と、（ｉｉ）インターネット受信機を含む携帯電話機と、備えることができる。この例では、自動車用受信機及び携帯電話機は、物理リンク（例えば、ケーブルなど）又はワイヤレスリンク（例えば、Ｂｌｕｅｔｏｏｔｈ（登録商標）、その他）を介して接続することができ、また、共に作動して、受信機側処理（例えば、受信したラジオ放送信号と合わせてメタデータを表示すること）を実施することができる。例えば、ラジオ（例えば、自動車用）受信機は、現在の同調した周波数及び現在の放送サービスエリアに関する情報を、コンピュータプロセッサを有する携帯電話機又はタブレットに伝達（例えば、無線で）するためのハードウェア、ソフトウェア、及び／又はファームウェアの何らかの好適な組み合わせを含むことができ、該コンピュータプロセッサは、当該同調周波数、位置情報、及びサーバからメタデータにアクセスしてメタデータに関連する情報を携帯電話機又はタブレットに表示又はレンダリングするのに好適な何らかの他の情報を処理するアプリケーションを実行する。更に別の実施例では、受信機システムは、自動車用受信機又は家庭用受信機を備えることができ、該受信機は、ワイヤレス３Ｇ又は４Ｇチップセットと、ＨＤラジオチップセットのようなラジオベースバンドプロセッサと、関連アンテナシステムとを含み、また、メタデータに関連する情報にアクセスして表示するか、又は他の場合にはこの情報をレンダリングするためのディスプレイ、コンピュータプロセッサ、及びアプリケーションソフトウェア及び／又はファームウェアを含む。更に別の実施例では、携帯電話機又はスマートフォンなどのハンドヘルドデバイス上の受信機システムは、Ｗｉ−Ｆｉ、Ｂｌｕｅｔｏｏｔｈ、３Ｇ、又は４Ｇなどのワイヤレスネットワークアクセスに加えてラジオ受信機を含む。
【００１７】
図２は、例示的なＩＢＯＣデジタルラジオ放送受信機２００の関連構成要素の簡略的な機能ブロック図である。ＩＢＯＣデジタルラジオ放送受信機システム２００は、図１に示されるラジオ放送受信機１２０の構成要素とすることができる。本開示の手法を実施するために、ＩＢＯＣデジタルラジオ放送受信機２００は、ワイヤレスＩＰを介してメタデータを受信するためのワイヤレスＩＰインタフェース２４０と、無線ラジオ放送信号を受信するための他の構成要素とを含む。ワイヤレスＩＰインタフェース２４０及びホストコントローラ２３０は、全体としてワイヤレスインターネットプロトコルハードウェア通信モジュールと呼ぶことができる。
【００１８】
図２の受信機２００は、単なる実施例に過ぎない点を理解されたい。他の例では、図１に示されるラジオ放送受信機システム１２０は、図２の受信機２００を使用せず、代わりに、インターネット受信機及びラジオ受信機の両方を実装するため他のハードウェア及び／又はソフトウェアを使用する。
【００１９】
受信機２００の特定の構成要素のみが、例証の目的で示されているが、受信機が幾つかの追加の構成要素を備えることができることは明らかであろう。追加の構成要素は、チューナ及びフロントエンド、スピーカ、リモートコントローラ、様々な入力／出力デバイス、並びに他の構成要素を有する幾つかの別個のエンクロージャ間で分散することができる。例示的な受信機は、アンテナ２５４に接続された入力２５２を有するチューナ２５６を含む。アンテナ２５４、チューナ２５６、及びベースバンドプロセッサ２５１は、全体として無線ラジオ放送ハードウェア通信モジュールと呼ぶことができる。
【００２０】
ベースバンドプロセッサ２５１内部では、チューナ２５６からの中間周波信号２５７が、アナログデジタルコンバータ及びデジタルダウンコンバータ２５８に供給されて、出力２６０において一連の複素信号サンプルを含むベースバンド信号が生成される。信号サンプルは、各サンプルが、「実数」成分及び「虚数」成分を含むという点において複素数である。アナログ復調器２６２は、ベースバンド信号のアナログ変調部分を復調して、ライン２６４上のアナログ音声信号を生成する。次に、サンプリングされたベースバンド信号のデジタル変調部分は、受信したＯＦＤＭ信号に存在する副搬送波ｆ1からｆnの集合的セットを含む通過帯域周波数応答を有する分離フィルタ２６６によってフィルタリングされる。第１の隣接キャンセラ（ＦＡＣ）２６８は、第１の隣接干渉源（ｉｎｔｅｒｆｅｒｅｒ）の影響を抑制する。複素信号２６９は、取得モジュール２７０の入力に送られ、このモジュール２７０は、受信した複素信号２６９で表される受信ＯＦＤＭシンボルからＯＦＤＭシンボルタイミングオフセット／誤り及び搬送波周波数オフセット／誤りを取得又は回復する。取得モジュール２７０は、シンボルタイミングオフセットΔｔ及び搬送波周波数オフセットΔｆ、並びに状態及び制御情報を生成する。次に、この信号は、ベースバンド信号のデジタル変調部分を復調するように復調される（ブロック２７２）。
【００２１】
次いで、デジタル信号は、デインタリーバ２７４によってデインタリーブされて、ビタビデコーダ２７６によって復号される。サービスデマルチプレクサ２７８は、データ信号から主プログラム信号と補足プログラム信号とを分離する。
【００２２】
また、図２の例示的なＩＢＯＣデジタルラジオ放送受信機２００は、ワイヤレスインターネットを介してデータを受信するためのワイヤレスＩＰインタフェース２４０を含む。ワイヤレスＩＰインタフェース２４０は、ホストコントローラ２３０によって管理される。図２に示されるように、ワイヤレスＩＰインタフェース２４０及びホストコントローラ２３０は、ライン２４２を介して結合されており、ワイヤレスＩＰインタフェース２４０とホストコントローラ２３０との間で送信されるデータは、このライン２４２を通じて送られる。構成要素は、レンダリングするため、ワイヤレスＩＰインタフェース２４０を介して受信したデータを選択することができる。例えば、セレクタ２２０は、ライン２３６を介してホストコントローラ２３０に接続して、ワイヤレスＩＰインタフェース２４０から受信した特定のデータを選択することができる。
【００２３】
レンダリング用のデータは、本明細書で記載されるようなメタデータ（例えば、テキスト、画像、ビデオなど）を含むことができ、無線で受信した一次プログラムコンテンツ（例えば、無線ラジオ放送信号を介して受信した音声）がレンダリングされるのと実質的に同じ時間でレンダリングすることができる。
【００２４】
幾つかの実施例では、受信機２００の構成要素（例えば、セレクタ２２０）は、例えば、ホストコントローラ２３０と通信するワイヤレスＩＰインタフェース２４０を介してファイルサーバにメタデータを要求して、メタデータ要求を送ることができる。音声プロセッサ２８０は、受信した信号を処理して、ライン２８２及びＭＰＳＤ／ＳＰＳＤ２８１上で音声信号を生成する。実施形態では、アナログ音声信号及び主デジタル音声信号が、ブロック２８４で示されているように混合されて、又は補足プログラム信号が通過して、ライン２８６上の音声出力が生成される。データプロセッサ２８８は、受信したデータ信号を処理して、ライン２９０、２９２、及び２９４上でデータ出力信号を生成する。データライン２９０、２９２、及び２９４は、Ｉ2C、ＳＰＩ，ＵＡＲＴ、又はＵＳＢなどの好適なバス上に共に多重化することができる。データ信号は、例えば、受信機においてレンダリングされるメタデータを表すデータを含むことができる。
【００２５】
ホストコントローラ２３０は、データ信号を受信してこれを処理する。ホストコントローラ２３０は、ＤＣＵ２３２及びメモリモジュール２３４に結合されたマイクロコントローラを備える。８ビットＲＩＳＣマイクロコントローラ、高度ＲＩＳＣマシン３２ビットマイクロコントローラ、又は他の好適なマイクロコントローラなどの何らかの好適なマイクロコントローラが使用できる。更に、ホストコントローラ２３０の機能の一部又は全部は、ベースバンドプロセッサ（例えば、プロセッサ２８０及び／又はデータプロセッサ２８８）で実行することができる。ＤＣＵ２３２は、ＬＣＤ又はＬＥＤディスプレイなどの何らかの好適な視覚的ディスプレイとすることができるディスプレイを制御する何らかの好適な入力／出力（Ｉ／Ｏ）プロセッサを備える。また、特定の実施形態では、ＤＣＵ２３２は、タッチスクリーンディスプレイを介してユーザ入力構成要素を制御することもできる。また、特定の実施形態では、ホストコントローラ２３０は、キーボード、ダイヤル、ノブ、又は他の好適な入力からユーザ入力を制御することができる。メモリモジュール２３４は、ＲＡＭ、フラッシュＲＯＭ（例えば、ＳＤメモリカード）、及び／又はハードディスクドライブなどの何らかの好適なデータ記憶媒体を含むことができる。特定の実施形態では、メモリモジュール２３４は、リモートコントローラなどのホストコントローラ２３０と通信する外部構成要素に含めることができる。
【００２６】
図３は、幾つかの実施形態による、本開示の手法の更なる詳細３００を示している。図３では、ラジオ放送受信機システム３１０は放送局に同調され、放送局がラジオ放送送信機システム３１５に関連付けられている。放送局への同調に基づいて、受信機システム３１０は、送信機システム３１５から無線ラジオ放送信号３３０の受信を開始することができる。受信機システム３１０は、コンピューティングシステム３０５に送信されるダウンロード要求３２０を生成することができる。以下で更に詳細に説明するように、実施形態では、ダウンロード要求３２０は、ＡＰＬを介してコンピューティングシステム３０５に送信される。ダウンロード要求３２０は、受信機システム３１０が同調された放送局に関連する様々なメタデータ３２５をコンピューティングシステム３０５に要求することができる。更に、ダウンロード要求３２０は、放送信号３３０に含まれる特定のプログラムコンテンツに関連する様々なメタデータ３２５をコンピューティングシステム３０５に要求することができる。
【００２７】
ダウンロード要求３２０に基づいて、メタデータ３２５（例えば、コンピュータファイル形式、その他の形式で）は、ハイパーテキスト転送プロトコル（ＨＴＴＰ）、ハイパーテキスト転送プロトコルセキュア（ＨＴＴＰＳ）、ファイル転送プロトコル（ＦＴＰ）、又はファイル転送プロトコルセキュア（ＦＴＰＳ）などのインターネットプロトコルを使用して、コンピューティングシステム３０５から受信機システム３１０にワイヤレスでダウンロードすることができる。
【００２８】
一実施形態では、受信機システム３１０は、携帯電話機を含むことができ、携帯電話機は、モバイルソフトウェアアプリケーションプログラム（例えば、モバイルアプリ）を実行することができる。ダウンロード要求の送信及びメタデータ３２５の受信は、モバイルソフトウェアアプリケーションプログラムを介して受信したユーザ入力に基づいて実行することができる。他の実施形態では、受信機システム３１０は、ソフトウェアアプリケーションを実行する自動車用受信機システムを含むことができる。ダウンロード要求の送信及びメタデータ３２５の受信は、ソフトウェアアプリケーションを介して受信したユーザ入力に基づいて実行することができる。他の実施形態では、メタデータ３２５のダウンロードは、自動的に実行され、ユーザの入力に応答するものではない。実施例では、メッセージングサービスからのデータが、受信機システムによるメタデータ３２５の要求をトリガする。このようなメッセージングシステムは、図４及び図５を参照して以下に説明される。
【００２９】
図４は、コアハイブリッドラジオシステム４００の例示的な構成要素を示す図である。静的メタデータ収集サービス４０５は、放送業者、放送局管理者、又はエンジニア４１０が、放送局データポータルアプリケーション又はデータベース４１５にこれらの放送局に関する様々な情報（例えば、ロゴ、スローガンなど）を入力することを可能にするポータルを含む。このような情報は、本明細書で記載される「静的メタデータ」を含むことができる。また、このサービス４０５は、内部放送局データベース４６０と相互作用して、他の静的放送局データを収集する。
【００３０】
更に、サービス４０５は、動的メタデータ収集サービス４３５と接続して動作することによって、複数の異なるラジオ放送局によって再生されているものを追跡し続ける。ラジオ放送局によって再生されている楽曲に関する情報は、本明細書で記載される「動的メタデータ」を含む。各ラジオ放送局は、動的メタデータ収集サービス４３５のインスタンスを実行して、このサービス４３５を放送局の再生システムにインタフェース接続する。サービス４３５は、現在及び過去の曲データなどの放送局イベントを収集して、この情報を静的メタデータ収集サービス４０５に報告する。動的メタデータ収集サービス４３５は、放送局クライアント４４０において、自動収集サービス４４５（例えば、インターネットラジオストリーム、ラジオＤＮＳ、ラジオ放送局情報データベース）から、インポータ４５０から、又は他のメタデータ源４５５からメタデータを収集することができる。
【００３１】
ラジオ放送受信機４７０は、図４における参照符号４２０で示されたＡＰＩ及びメッセージングサービスを介してコアハイブリッドラジオシステムにアクセスする。ラジオ放送受信機４７０は、システムに登録されており、新しいイベントが、ラジオ放送受信機４７０に対して新しいメタデータを収集することを要求すると、メッセージングシステム４３０は、これらのイベントに関してラジオ放送受信機４７０に通知する。例えば、新しい曲が、ラジオ放送局によって放送されているときには、メッセージングシステム４３０は、以前の曲がもはや放送されていないこと及び新しい曲が現在放送されていることを、ラジオ放送受信機４７０に通知することができる。ラジオ放送受信機４７０は、放送局データＡＰＩサービス４２５にアクセスすることによってメタデータを収集する。従って、例えば、新しい曲が再生されているという通知を受信することに応答して、ラジオ放送受信機４７０は、放送局データＡＰＩサービス４２５にアクセスして、新しい曲に関する情報（例えば、曲名、アーティスト、アルバム名など）を要求することができる。このような情報は、新しい曲に関するメタデータを含む。
【００３２】
ラジオ放送受信機４７０は、ユーザ対話及びフィールド情報に関する様々なデータをクライアント使用データ収集モジュール４６５を通じて報告する。従って、モジュール４６５は、ユーザ聴取に関する様々なメトリック及び使用データ（例えば、ユーザが、どの放送局を聴取しているか、ユーザが、何時このような放送局を聴取しているか、及び他のメトリック）を受信機４７０から収集する。
【００３３】
図５は、例示的なメタデータ相互作用を示す図５００である。詳細には、図５００は、ラジオ放送受信機クライアント５０５と放送局データＡＰＩサービス５７０との間のメタデータ相互作用を示している。メッセージングサービス５５５は、クライアント５０５から放送局メッセージキュー購読情報５５０を受信することができる。放送局データＡＰＩサービス５７０は、メッセージングサービス５５５と共有できる動的データフロー５６５を放送局クライアント５６０から受信することができる。また、モバイルクライアント５０５は、後で解析される周期的レポート５１０をクライアント使用データ収集５１５に提供することもできる。
【００３４】
一実施形態では、ラジオ放送受信機クライアント５０５は、その位置の緯度及び経度５２０をＡＰＩに提供することによって相互作用を開始することができる。ＡＰＩは、どの放送局がこの位置から聴取できるかを計算して、聴取可能な放送局のリスト５２５で応答する。次いで、ラジオ放送受信機クライアント５０５は、特定の放送局クエリ５３５を介して個々の放送局に関する完全なデータを要求し、応答５３５を受信することができ、又はイベントクエリ５４０を介して個々の放送局に関する完全なデータを要求して、応答５４５を受信することができる。ラジオ放送受信機クライアント５０５は、更新されたデータが利用可能になったときに通知されるようにメッセージングキューを予約購読して、クライアントが、現在のデータを抽出できるようにすることができる。このクライアントは、位置情報に関して緯度／経度クエリを指定するが、市、州、郵便番号、又は他の地理的識別手段による他のクエリも実施可能とすることができる。
【００３５】
図６は、例示的なＡＰＩ動作６００の第１のグループを示すブロック図である。プロキシＡＰＩ６１０により、ラジオ放送受信機クライアント６０５（例えば、クライアントアプリケーション）によって複数のサービスに透過的にアクセスできるようになる。プロキシＡＰＩ６１０は、ラジオ放送受信機クライアント６０５とこれらのサービスとの間に位置し、プロキシＡＰＩ６１０は、クライアント要求を処理して、これらの要求を他のサービスが理解できる形式に変換する。このＡＰＩの利点は、クライアントソフトウェア開発者が、複数のバックエンドサービスと互換性のある単一のアプリケーションを記述することを可能し、従って、開発コストが節約されることである。
【００３６】
プロキシＡＰＩ６１０は、様々な機能を提供する。プロキシＡＰＩ６１０は、デバイス登録要求を受信して（６１５）、この要求に応答して、クライアントＵＩＤを両方向に変換することができる（６２０）。プロキシＡＰＩ６１０は、放送局要求を受信し（６２５）、この要求に応答して、クライアントＵＩＤを変換し（６３０）、周波数値、放送局ＩＤ、放送局名、周波数チャネル、又はＭＱエンドポイントを変換することができる（６３５）。プロキシＡＰＩ６１０は、放送局、イベント、現在のイベント、又は郵便番号の要求を受信し（６４０）、この要求に応答して、クライアントＵＩＤを変換して（６４５）、周波数値、放送局ＩＤ、放送局名、周波数チャネル、又はＭＱエンドポイントを変換することができる（６５０）。プロキシＡＰＩ６１０は、レポート要求を受信し（６５５）、この要求に応答して、クライアントＵＩＤを変換することができる（６６０）。
【００３７】
図７は、例示的なＡＰＩ動作７００の第２のグループを示すブロック図７００である。プロキシＡＰＩ７１０により、ラジオ放送受信機クライアント７０５によって複数のサービスに透過的にアクセス可能になる。例示的なＡＰＩ動作７００の第２のグループは、例示的なＡＰＩ動作６００の第１のグループと同様であるが、追加の詳細及び機能を提供する。デバイス登録要求７２０に応答して、プロキシＡＰＩ７１０は、一意のＩＤを生成し（７２２）、この要求を送信機システム（ＴＳ）に渡し（７２４）、ＴＳ  ＩＤを受信して、この要求をクライアントに戻し（７２６）、ＩＤペアをデータベース及びキャッシュに格納することができる（７２８）。放送局要求７３０に応答して、プロキシＡＰＩ７１０は、ローカルキャッシュ又はデータベース内のローカルＩＤを検索し（７３２）、ＴＳデバイスＩＤを有するＴＳにこの要求を渡し（７３４）、変換された結果をクライアントに戻し（７３６）、すでに存在していない場合に、ＩＤマップをキャッシュにセットすることができる（７３８）。放送局、イベント、現在のイベント、又は郵便番号要求７４０に応答して、プロキシＡＰＩ７１０は、ローカルキャッシュ又はデータベース内のローカルＩＤを検索し（７４２）、キャッシュ内の要求を検索して、この要求が存在していない場合に、ＴＳ  ＩＤを有するＴＳにこの要求を渡し（７４４）、変換された結果をクライアントに戻し（７４６）、存在していない場合に、ＩＤマップをキャッシュにセットし（７３８）、存在していない場合に、クエリの結果をキャッシュにセットすることができる（７５０）。レポート要求７７０に応答して、プロキシＡＰＩ７１０は、ローカルキャッシュ又はデータベース内のローカルＩＤを検索し（７７２）、ＴＳデバイスＩＤを有するＴＳにデータを渡し（７７４）、結果をクライアントに戻すことができる（７７６）。これらのＡＰＩ呼び出しの他の組み合わせは、追加の機能を提供することができる。
【００３８】
本開示は、その例示的な実施形態を参照して詳細に説明されているが、当業者であれば、実施形態の範囲から逸脱することなく様々な変更及び修正を行うことができることは明らかであろう。従って、本開示は、添付の特許請求の範囲及びその等価物の範囲内に含まれるという条件で本開示の修正及び変形を包含することが意図される。
【００３９】
本明細書で開示される方法及び装置をより適切に示すために、実施形態の非限定的なリストがここで提示される。
【００４０】
実施例１は、一次音声プログラムコンテンツを含む無線ラジオ放送信号を受信するための無線ラジオ放送ハードウェア通信モジュールと、無線ラジオ放送信号に関連するメタデータを含むワイヤレスインターネットプロトコル信号を受信するためのワイヤレスインターネットプロトコルハードウェア通信モジュールと、ラジオ放送受信機ディスプレイと、ラジオ放送受信機ディスプレイにメタデータの少なくとも一部分を表示させるプロセッサと、を備える、ラジオ放送受信機システムである。
【００４１】
実施例２において、実施例１の主題は、任意選択に、プロセッサが更に一次音声プログラムコンテンツに関連するメタデータの一部分を選択することを含み、メタデータの一部分を表示させることは、メタデータの選択された部分をラジオ放送受信機ディスプレイに表示させることを含む。
【００４２】
実施例３において、実施例１及び２の何れか１又は２以上の主題は、任意選択に、音声システムを含み、プロセッサは更に、一次音声プログラムコンテンツを、音声システムを介して再生させ、無線ラジオ放送信号は、一次音声プログラムコンテンツを含む。
【００４３】
実施例４において、実施例３の主題は、任意選択に、プロセッサが更に、無線ラジオ放送信号の中断を検出し、この中断を検出することに応答して一次音声プログラムコンテンツのコピーを音声システムを介して再生させることを含み、ワイヤレスインターネットプロトコル信号は、一次音声プログラムコンテンツのコピーを含む。
【００４４】
実施例５において、実施例１から４のうちの何れか１又は２以上の主題は、任意選択に、プロセッサが更にワイヤレスインターネットプロトコルハードウェア通信モジュールに、メタデータ要求を放送局データサービスに送信させることを含み、ワイヤレスインターネットプロトコル信号を受信することは、このメタデータ要求を送信することに応答したものである。
【００４５】
実施例６において、実施例５の主題は、任意選択に、放送局データサービスが、放送局データＡＰＩサービス及び放送局データメッセージングサービスのうちの少なくとも１つを含むことを含む。
【００４６】
実施例７において、実施例１から６のうちの何れか１又は２以上の主題は、任意選択に、メタデータが静的メタデータのセットを含むことを含む。
【００４７】
実施例８において、実施例７の主題は、任意選択に、静的メタデータのセットが、ラジオ放送局コールサイン、ラジオ放送局名、及びラジオ放送局ロゴのうちの少なくとも１つを含むことを含む。
【００４８】
実施例９において、実施例１から８のうちの何れか１又は２以上の主題は、任意選択に、メタデータが動的メタデータのセットを含むことを含む。
【００４９】
実施例１０において、実施例９の主題は、任意選択に、動的メタデータのセットが、曲名、アーティスト名、及びアルバム名のうちの少なくとも１つを含むことを含む。
【００５０】
実施例１１において、実施例１から１０のうちの何れか１又は２以上の主題は、任意選択に、無線ラジオ放送信号が、アナログラジオ放送送信信号及びデジタルラジオ放送送信信号のうちの少なくとも１つを含むことを含む。
【００５１】
実施例１２は、無線ラジオ放送信号に関連するメタデータをラジオ放送受信機システムに提供するための方法であって、本方法は、ラジオ放送受信機において、一次音声プログラムコンテンツを含む無線ラジオ放送信号を受信する段階と、このラジオ放送受信機において、無線ラジオ放送信号に関連するメタデータを含むワイヤレスインターネットプロトコル信号を受信する段階と、このメタデータの少なくとも一部分を表示する段階とを含む。
【００５２】
実施例１３において、実施例１２の主題は、任意選択に、ラジオ放送受信機が、ラジオディスプレイを含み、メタデータの一部分を表示する段階が、メタデータの一部分をこのラジオディスプレイに表示する段階を含むことを含む。
【００５３】
実施例１４において、実施例１３の主題は、任意選択に、一次音声プログラムコンテンツに関連するメタデータの一部分を選択する段階を含み、メタデータの一部分を表示させる段階は、メタデータの選択された部分をラジオディスプレイに表示する段階を含む。
【００５４】
実施例１５において、実施例１２から１４のうちの何れか１又は２以上の主題は、任意選択に、ラジオ放送受信機を介して一次音声プログラムコンテンツを再生する段階を含み、無線ラジオ放送信号は、この一次音声プログラムコンテンツを含む。
【００５５】
実施例１６において、実施例１２から１５のうちの何れか１又は２以上の主題は、任意選択に、無線ラジオ放送信号の中断を検出する段階と、この中断を検出することに応答して、ラジオ放送受信機を介して、一次音声プログラムコンテンツのコピーを再生する段階と、を含み、ワイヤレスインターネットプロトコル信号は、一次音声プログラムコンテンツのコピーを含む。
【００５６】
実施例１７において、実施例１２から１６のうちの何れか１又は２以上の主題は、任意選択に、ラジオ放送受信機からのメタデータ要求を放送局データサービスに送信する段階を含み、ワイヤレスインターネットプロトコル信号を受信する段階は、このメタデータ要求を送信する段階に応答したものである。
【００５７】
実施例１８において、実施例１７の主題は、任意選択に、放送局データサービスが、放送局データＡＰＩサービス及び放送局データメッセージングサービスのうちの少なくとも１つを含むことを含む。
【００５８】
実施例１９において、実施例１２から１８のうちの何れか１又は２以上の主題は、任意選択に、メタデータが、静的メタデータのセットを含むことを含む。
【００５９】
実施例２０において、実施例１９の主題は、任意選択に、静的メタデータのセットが、ラジオ放送局コールサイン、ラジオ放送局名、及びラジオ放送局ロゴのうちの少なくとも１つを含むことを含む。
【００６０】
実施例２１において、実施例１２から２０のうちの何れか１又は２以上の主題は、任意選択に、メタデータが、動的メタデータのセットを含むことを含む。
【００６１】
実施例２２において、実施例２１の主題は、任意選択に、動的メタデータのセットが、曲名、アーティスト名、及びアルバム名のうちの少なくとも１つを含むことを含む。
【００６２】
実施例２３において、実施例１２から２２のうちの何れか１又は２以上の主題は、任意選択に、無線ラジオ放送信号が、アナログラジオ放送送信信号及びデジタルラジオ放送送信信号のうちの少なくとも１つを含むことを含む。
【００６３】
実施例２４は、コンピューティングシステムによって実行された場合に、コンピューティングシステムに、実施例１２から２３の方法のうちの何れかを実行させる命令を含む、少なくとも１つの機械可読媒体である。
【００６４】
実施例２５は、実施例１２から２３の方法のうちの何れかを実行するための手段を備える装置である。
【００６５】
上記の詳細な説明は、詳細説明の一部を形成する添付図面への参照を含む。これらの図面は、特定の実施形態を例示として示している。これらの実施形態は、本明細書では「実施例」とも呼ばれる。このような実施例は、図示され又は記載されたものに加えた要素を含むことができる。更に、本主題は、本明細書で図示又は記載される特定の実施例（又はその１又は２以上の態様）、又は他の実施例（又はその１又は２以上の態様）の何れかに関して図示又は記載されるこれらの要素（又はその１又は２以上の態様）の何らかの組み合わせ又は置換例を含むことができる。
【００６６】
本書では、「１つの（英文不定冠詞）」は、特許文献で一般的であるように、「少なくとも１つの」又は「１又は２以上の」という何らかの他の実例又は使用例と関係なく、１つの又は１つより多いを含むのに使用される。本明細書では、「又は」という用語は、別途指示されていない限り、「Ａ又はＢ」が、「ＢではなくＡ」、「ＡではなくＢ」、及び「Ａ及びＢ」を含むように、非排他的な「又は」を指すのに使用される。本明細書では、「含む（ｉｎｃｌｕｄｉｎｇ）」及び「そこにおいて（ｉｎ  ｗｈｉｃｈ）」という用語は、「備える（ｃｏｍｐｒｉｓｉｎｇ）」及び「そこで（ｗｈｅｒｅｉｎ）」というそれぞれの用語の平易な英語の同義語として使用される。また、以下の請求項では、「含む（ｉｎｃｌｕｄｉｎｇ）」及び「備える（ｃｏｍｐｒｉｓｉｎｇ）」という用語は、非限定的であり、すなわち、請求項の中でこのような用語の後に列挙されるものに加えた要素を含む、システム、デバイス、物品、組成物、調合物、又は処理は、依然としてこの請求項の範囲内に含まれるとみなされる。更に、以下の請求項では、「第１」、「第２」、及び「第３」などの用語は、単に標識として使用されており、それらの対象物に数字上の要件を課すことを意図するものではない。
【００６７】
上記明細書は、限定的なものではなく、例証であることを意図している。例えば、上述した例（又はその１又は２以上の態様）は、互いに組み合わせて使用することができる。他の実施形態は、上記の説明を再検討することで、例えば当業者によって使用することができる。要約書は、読者が技術的開示の性質を迅速に確認することを可能にするために提供される。要約書は、当該要約書が、請求項の範囲又は意味を解釈又は限定するために使用されるものではないことを理解した上で提出される。上記の「発明を実施するための形態」では、様々な特徴は、本開示を簡素化するように共にグループ化することができる。このことは、特許請求されていない開示の特徴が、何れかの請求項に必須であることを意図するものとして解釈すべきではない。むしろ、発明の主題は、特定の開示された実施形態の全てよりも少なくてもよい。従って、以下の請求項は、本明細書によって「発明を実施するための形態」に組み込まれ、各請求項は、別個の実施形態として単独で成立し、このような実施形態が、様々な組み合わせ又は置換例で互いに組み合わせることができることが意図されている。本発明の範囲は、このような請求項が持っている権利範囲の均等物の全範囲とともに、添付の特許請求の範囲を参照して決定すべきである。
【符号の説明】
【００６８】
１００  システム
１０５  動的情報及び静的情報配信サービス
１１０  放送局データＡＰＩサービス
１１５  放送局データメッセージングサービス
１２０  ラジオ放送受信機システム
１２５  ラジオ放送送信機システム
１３０  無線ラジオ放送信号
【図１】
2019516315.tif 000003
【図２】
2019516315.tif 000004
【図３】
2019516315.tif 000005
【図４】
2019516315.tif 000006
【図５】
2019516315.tif 000007
【図６】
2019516315.tif 000008
【図７】
2019516315.tif 000009
【国際調査報告】
2019516315.tif 000010